(57)【要約】【課題】コンテンツ記録時の記録容量の増加及びユーザの使い勝手の低下を抑制する。【解決手段】実施形態の情報処理装置の入力手段は、コンテンツの初期解像度に対応する映像データをダウンコンバートしたメイン映像データを暗号化した暗号化メイン映像データと、メイン映像データをアップコンバートした高解像映像データと初期解像度に対応する映像データとの差分であるサブ映像データを暗号化した暗号化サブ映像データと、が入力される。鍵取得手段は、第１の暗号鍵を取得し、鍵生成手段は、記暗号化メイン映像データに対応する第２の暗号鍵を、第１の暗号鍵から一方向性関数を用いて生成する。復号化手段は、第１の鍵を用いて暗号化サブ映像データを復号し、第２の鍵を用いて暗号化メイン映像データを復号し、初期解像度映像生成手段は、メイン及びサブ映像データをそれぞれ処理してコンテンツの初期解像度に対応する映像データを生成する。【選択図】図１
2014093569.tif 000002
【特許請求の範囲】
【請求項１】
コンテンツの初期解像度に対応する映像データをダウンコンバートして得られるメイン映像データを暗号化した暗号化メイン映像データと、前記メイン映像データをアップコンバートして得られる高解像映像データと前記初期解像度に対応する映像データとの差分であるサブ映像データを暗号化した暗号化サブ映像データと、が入力される入力手段と、
前記暗号化サブ映像データに対応する第１の暗号鍵を取得する鍵取得手段と、
前記暗号化メイン映像データに対応する第２の暗号鍵を、前記第１の暗号鍵から一方向性関数を用いて生成する鍵生成手段と
前記第１の鍵を用いて前記暗号化サブ映像データを復号し、前記鍵生成手段により生成された前記第２の鍵を用いて前記暗号化メイン映像データを復号する復号化手段と、
復号により得られた前記メイン映像データ及び前記サブ映像データをそれぞれ処理して前記コンテンツの初期解像度に対応する映像データを生成する初期解像度映像生成手段と、
を備えた情報処理装置。
【請求項２】
前記入力手段には、前記暗号化メイン映像データと前記暗号化サブ映像データとが多重化された多重化データを記録する記録装置から、前記多重化データが入力され、
前記復号化手段は、前記第１の鍵及び前記第２の鍵を用いて、前記多重化ストリームに含まれる前記暗号化サブ映像データ及び前記暗号化メイン映像データを復号し、
前記情報処理装置は、前記復号化手段により復号化された前記多重化データから前記メイン映像データと前記サブ映像データとを分離する分離手段を更に備え、
前記初期解像度映像生成手段は、分離された前記メイン映像データ及び前記サブ映像データを処理する、請求項１記載の情報処理装置。
【請求項３】
前記暗号化メイン映像データと前記暗号化サブ映像データとが入力され、前記暗号化メイン映像データと前記暗号化サブ映像データとを多重化した前記多重化データを生成する多重化手段と、
前記多重化データを前記記録装置に記録する記録手段と
を更に備える、請求項２記載の情報処理装置。
【請求項４】
前記分離手段により分離された前記メイン映像データをダウンコンバートして第２のメイン映像データを生成するダウンコンバート手段と、
前記第２のメイン映像データを暗号化する暗号化手段を更に備え、
前記鍵生成手段は、前記第２のメイン映像データに対応する第３の暗号鍵を、当該鍵生成手段が生成した前記第２の暗号鍵から一方向性関数を用いて生成し、
前記暗号化手段は、前記第３の暗号鍵を用いて前記第２のメイン映像データを暗号化する、請求項２又は請求項３に記載の情報処理装置。
【請求項５】
前記入力手段には、前記暗号化メイン映像データと音声データとを含むデータストリームと、前記サブ映像データを含み音声映像データを含まないデータストリームとが入力される、請求項１乃至請求項４のいずれかに記載の情報処理装置。
【請求項６】
コンテンツに対応するデータの処理を行う情報処理装置において実行される制御方法であって、
コンテンツの初期解像度に対応する映像データをダウンコンバートして得られるメイン映像データを暗号化した暗号化メイン映像データと、前記メイン映像データをアップコンバートして得られる高解像映像データと前記初期解像度に対応する映像データとの差分であるサブ映像データを暗号化した暗号化サブ映像データと、が入力される入力過程と、
前記暗号化サブ映像データに対応する第１の暗号鍵を取得する鍵取得過程と、
前記暗号化メイン映像データに対応する第２の暗号鍵を、前記第１の暗号鍵から一方向性関数を用いて生成する鍵生成過程と
前記第１の鍵を用いて前記暗号化サブ映像データを復号し、前記鍵生成過程において生成された前記第２の鍵を用いて前記暗号化メイン映像データを復号する復号化過程と、
復号により得られた前記メイン映像データ及び前記サブ映像データをそれぞれ処理して前記コンテンツの初期解像度に対応する映像データを生成する初期解像度映像生成過程と
を備えた制御方法。
【請求項７】
コンテンツに対応するデータの処理を行う情報処理装置をコンピュータにより制御するための制御プログラムであって、
前記コンピュータを、
前記コンテンツの初期解像度に対応する映像データをダウンコンバートして得られるメイン映像データを暗号化した暗号化メイン映像データと、前記メイン映像データをアップコンバートして得られる高解像映像データと前記初期解像度に対応する映像データとの差分であるサブ映像データを暗号化した暗号化サブ映像データと、が入力される入力手段と、
前記暗号化サブ映像データに対応する第１の暗号鍵を取得する鍵取得手段と、
前記暗号化メイン映像データに対応する第２の暗号鍵を、前記第１の暗号鍵から一方向性関数を用いて生成する鍵生成手段と
前記第１の鍵を用いて前記暗号化サブ映像データを復号し、前記鍵生成手段により生成された前記第２の鍵を用いて前記暗号化メイン映像データを復号する復号化手段と、
復号により得られた前記メイン映像データ及び前記サブ映像データをそれぞれ処理して前記コンテンツの初期解像度に対応する映像データを生成する初期解像度映像生成手段と、
して機能させる制御プログラム。
【発明の詳細な説明】
【技術分野】
【０００１】
本発明の実施形態は、情報処理装置、制御方法及び制御プログラムに関する。
【背景技術】
【０００２】
従来、動画像を伝送するための複数のトランスポートストリームを伝送するに際し、伝送経路を一つとするために複数のトランスポートストリームを多重化して伝送する方式が提案されている（例えば、特開平１１−４１１９３号公報参照）。
これに対し、近年においては、８Ｋ４Ｋ（７６８０画素［ドット］×４３２０画素［ドット］）や４Ｋ２Ｋ（４０９６画素×２１６０画素）のコンテンツを配信する際に、それらのコンテンツに必要なビットレートの帯域を専用できるブロードバンド通信や放送システムのインフラがないことから、差分伝送方式が検討されている。
【０００３】
ここで、差分伝送方式は、たとえば４Ｋ２Ｋコンテンツを２Ｋ１Ｋ（１９２０画素×１０８０画素）にダウンコンバートしてＨ．２６４やＭＰＥＧ−２で符号化したメインストリームと、その２Ｋ１Ｋコンテンツを４Ｋ２Ｋコンテンツにアップコンバートし、さらにもとの４Ｋ２Ｋコンテンツの差分とをＨＥＶＣ（Ｈｉｇｈ  Ｅｆｆｉｃｉｅｎｃｙ  Ｖｉｄｅｏ  Ｃｏｄｉｇｎ）で符号化し、４Ｋ差分信号であるサブストリームとに分けて伝送する方式である。Ｈ．２６４で符号化されたものは、たとえば放送波やＩＰＴＶ放送として放送され、差分信号はファイル等の形式でたとえばインターネット配信される。また、それぞれのストリームはＭＰＥＧ−２  ＴＳ（Ｔｒａｎｓｐｏｒｔ  Ｓｔｒｅａｍ）形式にて多重され、送出される。
【０００４】
一方、受信機においては、メインストリーム（２Ｋ１Ｋコンテンツ）とサブストリーム（差分）を同一もしくは別々の経路で受信し、２Ｋ１Ｋコンテンツと差分とを復号し、合成して４Ｋ２Ｋコンテンツとして再生することとなる。
【先行技術文献】
【特許文献】
【０００５】
【特許文献１】特開平１１−０４１１９３号公報
【発明の概要】
【発明が解決しようとする課題】
【０００６】
ところで、受信機において再生した４Ｋ２Ｋコンテンツをハードディスク装置等の記録装置に記録しようとした場合には、４Ｋ２Ｋコンテンツをエンコードして符号化し、暗号化してファイルとして保存することが考えられる。
【０００７】
この場合に、４Ｋ２Ｋコンテンツ及び２Ｋ１Ｋコンテンツの双方を記録装置に記録しようとする場合には、別個のコンテンツであるため記録容量が増加することとなる。
また、この記録装置への記録に際しては、再暗号化を行うため、セキュリティ上の観点から、両コンテンツのそれぞれについて新たな暗号化鍵を生成することとなり、両コンテンツに対応する暗号化鍵は独立となり使い勝手が低下する。
【課題を解決するための手段】
【０００８】
実施形態の情報処理装置の入力手段は、コンテンツの初期解像度に対応する映像データをダウンコンバートして得られるメイン映像データを暗号化した暗号化メイン映像データと、メイン映像データをアップコンバートして得られる高解像映像データと初期解像度に対応する映像データとの差分であるサブ映像データを暗号化した暗号化サブ映像データと、が入力される。
鍵取得手段は、暗号化サブ映像データに対応する第１の暗号鍵を取得し、鍵生成手段は、記暗号化メイン映像データに対応する第２の暗号鍵を、第１の暗号鍵から一方向性関数を用いて生成する。
これらにより、復号化手段は、第１の鍵を用いて暗号化サブ映像データを復号し、鍵生成手段により生成された第２の鍵を用いて暗号化メイン映像データを復号し、初期解像度映像生成手段は、復号により得られたメイン映像データ及びサブ映像データをそれぞれ処理してコンテンツの初期解像度に対応する映像データを生成する。
【図面の簡単な説明】
【０００９】
【図１】図１は、実施形態のコンテンツ配信システムの概要構成ブロック図である。
【図２】図２は、コンテンツ配信装置の概要構成ブロック図である。
【図３】図３は、ディジタルテレビ装置の概要構成ブロック図である。
【図４】図４は、第１実施形態の処理部及び信号処理部の概要機能構成ブロック図である。
【図５】図５は、第２実施形態の処理部及び信号処理部の概要機能構成ブロック図である。
【発明を実施するための形態】
【００１０】
次に実施形態について説明する。
［１］第１実施形態
図１は実施形態のコンテンツ配信システムの概要構成ブロック図である。
以下の説明においては、４Ｋ２Ｋ、すなわち、ＱＦＨＤ（クアッドフルＨＤ）の解像度（３８４０×２１６０）を有するコンテンツを配信する場合を例として説明する。
コンテンツ配信システム１０は、大別すると、メインストリーム（のコンテンツ）ＭＳＣ（＝２Ｋ１Ｋ解像度）を放送アンテナ１１を介して放送波１２により配信するとともに、サブストリームのコンテンツＳＳＣ（＝４Ｋ２ＫコンテンツとコンテンツＭＳＣとの差分）をインターネット等の通信ネットワーク１３を介して配信するコンテンツ配信装置（放送装置）１４と、メインストリーム（のコンテンツ）ＭＳＣ及びサブストリーム（のコンテンツ）ＳＳＣを受信してコンテンツ再生を行うコンテンツ再生装置として機能する複数のディジタルテレビ装置（ディジタルＴＶ）１５と、を備えている。
【００１１】
次にコンテンツ配信装置１４の構成について説明する。
図２は、コンテンツ配信装置の概要構成ブロック図である。
コンテンツ配信装置１４は、入力された音声信号ＳＡをＡＡＣエンコードしてＡＡＣエンコード信号ＳＡＡを出力するＡＡＣエンコード部２１と、入力された４Ｋ−ＵＨＤＴＶ信号ＳＶ４（４Ｋ２Ｋ解像度）ＳＶ４を４Ｋ−２Ｋ変換して２Ｋ−ＨＤＴＶ信号ＳＶ２（解像度は、２Ｋ１Ｋ［１９２０画素×１０８０画素］）ＳＶ２を出力する４Ｋ−２Ｋ変換部２２と、４Ｋ−２Ｋ変換部２２から入力された２Ｋ−ＨＤＴＶ信号ＳＶ２を２Ｋ−４Ｋ変換して疑似４ＫＨＤＴＶ信号ＰＳＶ４を出力する２Ｋ−４Ｋ変換部２３と、４Ｋ−ＵＨＤＴＶ信号ＳＶ４と疑似４ＫＨＤＴＶ信号ＰＳＶ４との差分をとって差分４ＫＨＤＴＶ信号ＳＶＤを出力する減算部２４と、を備えている。
【００１２】
またコンテンツ配信装置１４は、減算部２４から入力された差分４ＫＨＤＴＶ信号ＳＶＤのＨＥＶＣ（Ｈｉｇｈ  Ｅｆｆｉｃｉｅｎｃｙ  Ｖｉｄｅｏ  Ｃｏｄｉｎｇ）符号化を行いＨＥＶＣ符号化信号ＳＶＨＥを出力するＨＥＶＣ符号化部２５と、４Ｋ−２Ｋ変換部から入力された２Ｋ−ＨＤＴＶ信号ＳＶ２のＭＰＥＧ−２エンコードを行いＭＰＥＧ−２エンコード信号ＳＶＭＰを出力するＭＰＥＧ−２エンコード部２６と、ＡＡＣエンコード信号とＭＰＥＧ−２エンコード信号ＳＶＭＰをトランスポートストリーム（ＴＳ）多重化して第１ＴＳ多重化信号ＳＶＭ１として出力する第１ＴＳ多重化部２７と、入力された暗号化鍵Ｋｈにより第１ＴＳ多重化信号ＳＶＭ１を暗号化してメインストリームＭＳＣとして出力する第１暗号化部２８と、差分４ＫＨＤＴＶ信号ＳＶＤの暗号化を行うための暗号化鍵Ｋｕに基づいてＨＥＶＣ符号化信号ＳＶＨＥをＴＳ多重化して第２ＴＳ多重化信号ＳＶＭ２を出力する第２ＴＳ多重化部２９と、第１ＴＳ多重化部２７と第２ＴＳ多重化部２９とを同期させて処理を行わせる同期部３０と、４Ｋ−２Ｋコンテンツ聴取権限に対応する暗号化鍵Ｋｕをハッシュ関数（より具体的にはＳＨＡ−１アルゴリズム）等の一方向性関数により２Ｋ−１Ｋコンテンツ聴取権限に対応する暗号化鍵Ｋｈに変換する鍵変換部３１と、暗号化鍵Ｋｕにより第２ＴＳ多重化信号を暗号化して４Ｋ差分サブストリームＳＳＣとして出力する第２暗号化部３２と、を備えている。
【００１３】
ここで、コンテンツ配信装置１４の概要動作を説明する。
コンテンツ配信装置１４のＡＡＣエンコード部２１は、入力された音声信号ＳＡをＡＡＣエンコードしてＡＡＣエンコード信号ＳＡＡを第１ＴＳ多重化部２７に出力する。
一方、４Ｋ−２Ｋ変換部２２は、入力された４Ｋ−ＵＨＤＴＶ信号ＳＶ４（４Ｋ２Ｋ解像度）ＳＶ４を４Ｋ−２Ｋ変換して２Ｋ−ＨＤＴＶ信号ＳＶ２（解像度は、２Ｋ１Ｋ［１９２０画素×１０８０画素］）ＳＶ２を２Ｋ−４Ｋ変換部２３及びＭＰＥＧ−２エンコード部２６に出力する。
【００１４】
これにより、２Ｋ−４Ｋ変換部２３は、４Ｋ−２Ｋ変換部２２から入力された２Ｋ−ＨＤＴＶ信号ＳＶ２を２Ｋ−４Ｋ変換して疑似４ＫＨＤＴＶ信号ＰＳＶ４を減算部２４に出力する。
減算部２４は、４Ｋ−ＵＨＤＴＶ信号ＳＶ４と疑似４ＫＨＤＴＶ信号との差分をとって差分４ＫＨＤＴＶ信号ＳＶＤをＨＥＶＣ符号化部２５に出力する。
【００１５】
また、ＭＰＥＧ−２エンコード部２６は、４Ｋ−２Ｋ変換部２２から入力された２Ｋ−ＨＤＴＶ信号ＳＶ２のＭＰＥＧ−２エンコードを行いＭＰＥＧ−２エンコード信号ＳＶＭＰを第１ＴＳ多重化部２７に出力する。
第１ＴＳ多重化部２７は、ＡＡＣエンコード信号ＳＡＡとＭＰＥＧ−２エンコード信号をトランスポートストリーム（ＴＳ）多重化して第１ＴＳ多重化信号ＳＶＭ１として第１暗号化部２８に出力する。
【００１６】
一方、ＨＥＶＣ符号化部２５は、減算部２４から入力された差分４ＫＨＤＴＶ信号のＨＥＶＣ符号化を行いＨＥＶＣ符号化信号ＳＶＨＥを第２ＴＳ多重化部２９に出力する。
第２ＴＳ多重化部２９は、同期部３０により、第１ＴＳ多重化部２７と同期が取られた状態で、差分４ＫＨＤＴＶ信号ＳＶＤの暗号化を行うための暗号化鍵Ｋｕに基づいてＨＥＶＣ符号化信号ＳＶＨＥをＴＳ多重化して第２ＴＳ多重化信号ＳＶＭ２を第２暗号化部３２に出力する。
【００１７】
また、鍵変換部３１は、４Ｋ−２Ｋコンテンツ聴取権限に対応する暗号化鍵Ｋｕをハッシュ関数（より具体的にはＳＨＡ−１アルゴリズム）等の一方向性関数により２Ｋ−１Ｋコンテンツ聴取権限に対応する暗号化鍵Ｋｈに変換し、第１暗号化部２８に出力する。
【００１８】
これらの結果、第１暗号化部２８は、入力された暗号化鍵Ｋｈにより第１ＴＳ多重化信号ＳＶＭ１を暗号化してメインストリーム（のコンテンツ）ＭＳＣとして、図示しない放送装置に出力し、放送装置は、放送アンテナ１１を介して放送波１２によりメインストリーム（のコンテンツ）ＭＳＣを配信する。
また、第２暗号化部３２は、暗号化鍵Ｋｕにより第２ＴＳ多重化信号ＳＶＭ２を暗号化して４Ｋ差分サブストリームＳＳＣとして、図示しないルータ等の通信インタフェース装置及び通信ネットワーク１３を介して、配信する。
【００１９】
次にコンテンツ再生装置としてのディジタルテレビ装置１５の構成について説明する。
図３は、ディジタルテレビ装置の概要構成ブロック図である。
ディジタルテレビ装置１５は、図３に示すように、入力側に接続された放送波受信用のアンテナ４１を介して放送電波を受信するチューナ４２と、チューナ４２により受信した放送信号の復調を行い、トランスポートストリームを抽出する復調器４３と、復調器４３により復調されたトランスポートストリーム放送信号を復号する復号器４４と、入力された信号の処理を行う信号処理部４５と、を備えている。
【００２０】
また、ディジタルテレビ装置１５は、信号処理部４５から供給されるディジタル映像信号と、後述のＯＳＤ信号と、データ放送による画像データと、後述のＥＰＧ、字幕信号とを合成して出力するグラフィック処理部４６と、信号処理部４５から入力されたディジタルの音声信号をアナログ音声信号に変換して出力する音声処理部４７と、音声処理部４７が出力したアナログ音声信号の増幅等を行って、音声出力を行う音声出力装置４８と、信号処理部４５から入力されたディジタルの映像信号を、液晶ディスプレイ等で構成される表示装置４９で表示可能なアナログ映像信号に変換した後、表示装置４９に出力して、表示装置４９の表示画面上に映像表示させる映像処理部５０と、を備えている。
【００２１】
さらに、ディジタルテレビ装置１５は、ディジタルテレビ装置１５全体を制御する処理部５１と、ユーザが各種操作を行うための操作部５２と、外部のリモートコントローラ１５Ｒからのリモートコントロール光を受光してリモートコントロール信号を出力する受光部５３と、無線ＬＡＮ通信ユニット５４を介して無線通信ネットワークに接続されて無線通信を行うＷｉ−Ｆｉ通信Ｉ／Ｆ５５と、有線ＬＡＮ端子５６を介して通信ネットワークに接続されて、通信を行うＬＡＮ  Ｉ／Ｆ５７と、を備えている。
【００２２】
さらにまた、ディジタルテレビ装置１５は、ＩＣメモリカードＭＣからの各種データの読み込み及びＩＣメモリカードＭＣへの各種データの書き込みを行うメモリカードリーダ／ライタ（Ｒ／Ｗ）５８と、放送電波を介して受信したメインストリームのコンテンツＭＳＣと、Ｗｉ−Ｆｉ通信Ｉ／Ｆ５５あるいはＬＡＮ  Ｉ／Ｆ５７を介して入力されたサブストリームのコンテンツＳＳＣと、をＴＳ多重化して得られる多重化ストリーミングデータとして記録する記録装置５９と、を備えている。
【００２３】
上記構成において、処理部５１は、コントローラ５１ａ、制御プログラムを格納したＲＯＭ（Read  Only  Memory）５１ｂと、作業エリアを提供するＲＡＭ（Random  Access  Memory）５１ｃと、各種の設定情報、制御情報及び番組情報等が更新可能かつ不揮発的に格納されるフラッシュメモリ等の不揮発性メモリ５１ｄと、を備えている。
【００２４】
コントローラ５１ａは、マイクロプロセッサとして構成されており、操作部５２からの操作情報を受け、または、リモートコントローラ１５Ｒから送出された操作情報を受光部５３を介して受信し、その操作内容（例えば、楽曲情報問い合わせ操作、チャネル切換操作等）が反映されるように各部をそれぞれ制御している。
【００２５】
図４は、第１実施形態の処理部及び信号処理部の概要機能構成ブロック図である。
以下の説明においては、メインストリームのコンテンツＭＳＣは、放送電波を介してディジタルテレビ装置１５に入力され、サブストリームのコンテンツＳＳＣは、ＬＡＮ  Ｉ／Ｆ５７を介してディジタルテレビ装置１５に入力されるものとして説明する。
【００２６】
アンテナ４１を介してチューナ４２が放送電波を受信すると、復調器４３は、チューナ４２により受信した放送信号の復調を行い、トランスポートストリームを抽出する。
これにより復号器４４は、復調器４３により復調されたトランスポートストリーム放送信号を復号し、ＴＳ再多重化部６１として機能する信号処理部４５にメインストリームＭＳＣを出力する。
【００２７】
一方、ＬＡＮ  Ｉ／Ｆ５７は、インターネット等の通信ネットワーク１３及び有線ＬＡＮ端子５６を介して配信されたサブストリームＳＳＣを受信し、同期部６２として機能する信号処理部４５に出力する。
【００２８】
これにより信号処理部４５は、同期部６２として入力されたメインストリームＭＳＣにサブストリームＳＳＣを同期させ、ＴＳ再多重化部６１として再多重化し多重化ストリームＲＭＳを生成し、記録部６３として機能する処理部５１に出力する。
これにより記録部６３として機能する処理部５１は、記録装置５９を制御して、多重化ストリームＲＭＳをコンテンツのデータストリームとして記録する。
【００２９】
その後、ユーザにより記録装置５９に記録したコンテンツのデータストリームの再生が指示された場合には、読込部６４として機能し、対応するコンテンツのデータストリームである多重化ストリームＲＭＳを読み出し、復号部６５及び鍵変換部（鍵生成手段）６６として機能する信号処理部４５に出力する。
これにより信号処理部４５は、まず鍵変換部６６として機能し、４Ｋ−２Ｋコンテンツ聴取権限に対応する暗号化鍵Ｋｕをハッシュ関数等の一方向性関数により２Ｋ−１Ｋコンテンツ聴取権限に対応する暗号化鍵Ｋｈに変換して復号部６５として機能する信号処理部４５に出力する。
【００３０】
復号部６５として機能する信号処理部４５は、暗号化鍵Ｋｕ及び暗号化鍵Ｋｈに基づいて、多重化ストリームＲＭＳを復号化し、今度は、分離部６７として機能する。
分離部６７として機能する信号処理部４５は、復号化された多重化ストリームＲＭＳを分離し、ＡＡＣエンコード信号ＳＡＡ、ＭＰＥＧ−２エンコード信号ＳＶＭＰ及びＨＥＶＣ符号化信号ＳＶＨＥとする。
【００３１】
続いて、ＡＡＣ復号化部６８として機能する信号処理部４５は、入力されたＡＡＣエンコード信号ＳＡＡの復号化を行って、音声信号ＳＡとして音声処理部４７に出力する。
これにより音声処理部４７は、信号処理部４５から入力されたディジタルの音声信号ＳＡをアナログ音声信号に変換して音声出力装置４８及び音声出力端子４７Ｔに出力する。音声出力装置４８は、音声処理部４７が出力したアナログ音声信号の増幅等を行って、音声出力を行う。
【００３２】
一方、ＭＰＥＧ−２復号化部６９として機能する信号処理部４５は、入力されたＭＰＥＧ−２エンコード信号ＳＶＭＰの復号化を行って、２Ｋ−ＨＤＴＶ信号ＳＶ２を生成し、２Ｋ−４Ｋ変換部７０として機能する。
【００３３】
これにより、２Ｋ−４Ｋ変換部７０として機能する信号処理部４５は、入力された２Ｋ−ＨＤＴＶ信号ＳＶ２の２Ｋ−４Ｋ変換（アップコンバート）を行い、疑似４ＫＨＤＴＶ信号ＰＳＶ４を出力する。
さらに、ＨＥＶＣ復号化部７１として機能する信号処理部４５は、入力されたＨＥＶＣ符号化信号ＳＶＨＥの復号化を行い、差分４ＫＨＤＴＶ信号ＳＶＤを出力する。
【００３４】
これらの結果、合成部７２として機能する信号処理部４５は、疑似４ＫＨＤＴＶ信号ＰＳＶ４と差分４ＫＨＤＴＶ信号ＳＶＤとを合成し（加算し）、４Ｋ−ＵＨＤＴＶ信号ＳＶ４ＳＶ４をディジタル映像信号として、グラフィック処理部４６に出力する。
これに伴い、信号処理部４５から供給されるディジタル映像信号としての４Ｋ−ＵＨＤＴＶ信号ＳＶ４ＳＶ４およびデータ放送による画像データ、さらにＯＳＤ信号生成部５９から入力されたＯＳＤ信号生成部６０から供給されるＥＰＧ並びに字幕信号とを合成して映像処理部５０に出力する。
【００３５】
そして、映像処理部５０は、信号処理部４５から入力されたディジタルの映像信号を、液晶ディスプレイ等で構成される表示装置４９で表示可能なアナログ映像信号に変換した後、表示装置４９及び映像出力端子５０Ｔに出力して、表示装置４９の表示画面上に映像表示させ、あるいは、映像出力端子５０Ｔに接続された図示しない外部表示装置の表示画面上に表示させる。なお、映像出力端子５０Ｔには、レコーダ等の外部記録装置を接続するようにすることも可能である。
これらの結果、ディジタルテレビ装置１５は、コンテンツ配信装置１４により配信された４Ｋ２Ｋの解像度を有するコンテンツ（４Ｋ−ＵＨＤＴＶコンテンツ）の再生がなされることとなる。
【００３６】
ここで、メインストリームＭＳＣとサブストリームＳＳＣを合成して生成できる４Ｋ−ＵＨＤＴＶコンテンツは解像度の高い臨場感あるものであるので、通常のＨＤＴＶ画質のコンテンツよりプレミアムなコンテンツである。ユーザは４Ｋ−ＵＨＤＴＶをみるために追加料金を支払ったり、特別な契約をして４Ｋ−ＵＨＤＴＶコンテンツを得ることができる。
【００３７】
このため、本実施形態においても、通常のＨＤＴＶ画質のみにアクセスできるユーザに４Ｋ−ＵＨＤＴＶコンテンツが再生（生成）できないようにしている。コンテンツ提供者と４Ｋ−ＵＨＤＴＶコンテンツを視聴する契約をしたユーザの機器（上記説明における、ディジタルテレビ装置１５）は暗号化鍵Ｋｕを得られ、これからＨＤＴＶ画質（２Ｋ１Ｋ）のコンテンツを視聴するためのコンテンツ鍵Ｋｈを求めることができる。
この場合に、２Ｋ１Ｋの解像度を有するコンテンツの再生を行う場合には、ＭＰＥＧ−２復号化部６９として機能する信号処理部４５が出力した２Ｋ−ＨＤＴＶ信号ＳＶ２をそのままグラフィック処理部４６に出力させることにより、再生が可能となっている。
【００３８】
また、コンテンツ提供者と４Ｋ−ＵＨＤＴＶコンテンツの視聴はできず、通常のＨＤＴＶコンテンツを視聴する契約をしたユーザの機器は暗号化鍵Ｋｈを得られるが、上述したように、鍵の生成には、一方向性関数を用いているため、４Ｋ―ＵＨＤＴＶ画質のコンテンツを視聴するためのコンテンツ鍵Ｋｕを得ることもできないし、コンテンツ鍵Ｋｈから計算で求めることもできないようになっている。
【００３９】
以上の説明のように、本第１実施形態によれば、記録装置（記録手段）５９に記録されているデータストリームに基づいて、４Ｋ２Ｋの解像度（＝第１の解像度）に対応するコンテンツのデータストリームから４Ｋ２Ｋの解像度（＝第１の解像度）より低解像度の２Ｋ１Ｋの解像度（第２の解像度）に対応するデータストリームの暗号処理に用いる鍵を生成するに際し、４Ｋ２Ｋの解像度のデータストリームの暗号処理に用いられた鍵（鍵Ｋｕ）から一方向性関数を用いて生成する鍵（鍵Ｋｈ）を用いることにより行えるので、４Ｋ２Ｋコンテンツ及び２Ｋ１Ｋコンテンツの双方を記録装置５９に記録しようとする場合でも、多重化して同一のコンテンツとして記録することができるため、記録容量が増加することがない。
【００４０】
また、上述したように、同一コンテンツに対応する解像度の異なる複数のコンテンツのそれぞれに対応する暗号化鍵（上述の例では、鍵Ｋｕ及び鍵Ｋｈ）は独立ではなく、関連性を有することとなり、ユーザにおける使い勝手が低下することがない。
【００４１】
［２］第２実施形態
以上の第１実施形態は、４Ｋ２Ｋの解像度を有するコンテンツの再生及び２Ｋ１Ｋの解像度を有するコンテンツの再生を行う場合について説明したが、本第２実施形態は、より低解像度のコンテンツのデータストリームを生成するための実施形態である。
以下の説明においては、ＳＤＴＶ（Standard  Definition  Television：標準画質。例えば、７２０画素×４８０画素）向けのデータストリーム及びＳＤＴＶよりも解像度が低い（例えば、ＶＧＡ：６４０画素×４８０画素）、モバイル機器向けのデータストリームを生成する場合について説明する。
【００４２】
図５は、第２実施形態の処理部及び信号処理部の概要機能構成ブロック図である。
図５において、図４の第１実施形態と同様の部分には、同一の符号を付すものとする。
以下の説明においても、メインストリームのコンテンツＭＳＣは、放送電波を介してディジタルテレビ装置１５に入力され、サブストリームのコンテンツＳＳＣは、ＬＡＮ  Ｉ／Ｆ５７を介してディジタルテレビ装置１５に入力されるものとして説明する。
第１実施形態と同様に、ユーザにより記録装置５９に記録したコンテンツのデータストリームの再生が指示された場合には、読込部６４として機能し、対応するコンテンツのデータストリームである多重化ストリームＲＭＳを読み出し、復号部６５及び鍵変換部（鍵生成手段）６６として機能する信号処理部４５に出力する。
【００４３】
これにより信号処理部４５は、まず鍵変換部６６として機能し、４Ｋ−２Ｋコンテンツ聴取権限に対応する暗号化鍵Ｋｕをハッシュ関数等の一方向性関数により２Ｋ−１Ｋコンテンツ聴取権限に対応する暗号化鍵Ｋｈに変換して復号部６５として機能する信号処理部４５に出力する。
復号部６５として機能する信号処理部４５は、暗号化鍵Ｋｕ及び暗号化鍵Ｋｈに基づいて、多重化ストリームＲＭＳを復号化し、今度は、分離部６７として機能する。
分離部６７として機能する信号処理部４５は、復号化された多重化ストリームＲＭＳを分離し、ＡＡＣエンコード信号ＳＡＡ及びＭＰＥＧ−２エンコード信号ＳＶＭＰとする。
【００４４】
また、ＭＰＥＧ−２復号化部６９として機能する信号処理部４５は、入力されたＭＰＥＧ−２エンコード信号ＳＶＭＰの復号化を行って、２Ｋ−ＨＤＴＶ信号ＳＶ２を生成し、ＨＤＴＶ→ＳＤ変換部８１及びＨＤＴＶ→ＶＧＡ変換部８４に出力する。
【００４５】
一方、信号処理部４５は、第１実施形態の鍵変換部６６と同一構成を有する第１鍵変換部６６として機能し、４Ｋ−２Ｋコンテンツ聴取権限に対応する暗号化鍵Ｋｕをハッシュ関数等の一方向性関数により２Ｋ−１Ｋコンテンツ聴取権限に対応する暗号化鍵Ｋｈに変換し、復号部６５として機能する信号処理部４５及びＳＤＴＶ向けのデータストリーム生成に用いる暗号化鍵Ｋｓを生成する第２鍵変換部８７に暗号化鍵Ｋｈを出力する。
【００４６】
これにより、第２鍵変換部８７として機能する信号処理部４５は、２Ｋ−１Ｋコンテンツ聴取権限に対応する暗号化鍵Ｋｈをハッシュ関数等の一方向性関数によりＳＤＴＶコンテンツ聴取権限に対応する暗号化鍵Ｋｓに変換し、モバイル機器向けのデータストリーム生成に用いる暗号化鍵Ｋｍを生成する第３鍵変換部８８及びＳＤＴＶコンテンツのデータストリームを暗号化する第１暗号化部８９に暗号化鍵Ｋｓを出力する。
【００４７】
そして、第３鍵変換部８８として機能する信号処理部４５は、ＳＤＴＶコンテンツ聴取権限に対応する暗号化鍵Ｋｓをハッシュ関数等の一方向性関数によりモバイル機器向けのデータストリーム生成に用いる暗号化鍵Ｋｍを生成し、モバイル機器向けのコンテンツのデータストリームを暗号化する第２暗号化部９０に暗号化鍵Ｋｍを出力する。
【００４８】
一方、ＨＤＴＶ→ＳＤ変換部８１は、入力された２Ｋ−ＨＤＴＶ信号ＳＶ２の解像度を変換して、ＳＤＴＶ信号ＳＳＤを生成し、第１Ｈ．２６４符号化部８２に出力する。
これにより、第１Ｈ．２６４符号化部８２は、Ｈ．２６４に準拠した圧縮符号化方式に従ってＳＤＴＶ信号ＳＳＤの圧縮符号化を行って、圧縮符号化ＳＤＴＶ信号ＳＳＤＣを生成し、第１ＴＳ多重化部８３に出力する。
第１ＴＳ多重化部８３は、分離部６７から入力されたＡＡＣエンコード信号ＳＡＡと、圧縮符号化ＳＤＴＶ信号ＳＳＤＣと、を多重化し、多重化ＳＤＴＶ信号ＭＳＳＤを生成して第１暗号化部８９に出力する。
【００４９】
これにより、第１暗号化部８９は、第２鍵変換部８７が出力した暗号化鍵Ｋｓを用いて多重化ＳＤＴＶ信号ＭＳＳＤを暗号化して、ＳＤＴＶデータストリームＳＤＳＣを生成して出力する。
【００５０】
同様に、ＨＤＴＶ→ＶＧＡ変換部８４は、入力された２Ｋ−ＨＤＴＶ信号ＳＶ２の解像度を変換して、モバイル機器向けのＶＧＡＴＶ信号ＳＶＧを生成し、第２Ｈ．２６４符号化部８５に出力する。
これにより、第２Ｈ．２６４符号化部８５は、Ｈ．２６４に準拠した圧縮符号化方式に従ってＶＧＡＴＶ信号ＳＶＧの圧縮符号化を行って、圧縮符号化ＶＧＡＴＶ信号ＳＶＧＣを生成し、第２ＴＳ多重化部８６に出力する。
【００５１】
第２ＴＳ多重化部８６は、分離部６７から入力されたＡＡＣエンコード信号ＳＡＡと、圧縮符号化ＶＧＡＴＶ信号ＳＶＧＣと、を多重化し、多重化ＶＧＡＴＶ信号ＭＳＶＧを生成して第２暗号化部９０に出力する。
これにより、第２暗号化部９０は、第３鍵変換部８８が出力した暗号化鍵Ｋｍを用いて多重化ＶＧＡＴＶ信号ＭＳＶＧを暗号化して、モバイル機器向けのＳＶＧＡデータストリームＭＶＳＣを生成して出力する。
【００５２】
以上の説明のように、本第２実施形態によれば、記録装置（記録手段）５９に記録されているデータストリームに基づいて、４Ｋ２Ｋの解像度（＝第１の解像度）に対応するコンテンツのデータストリームから４Ｋ２Ｋの解像度（＝第１の解像度）より低解像度のＳＤＴＶの解像度及びさらに低解像度のＶＧＡの解像度に対応するデータストリームの暗号処理に用いる鍵を生成するに際し、４Ｋ２Ｋの解像度のデータストリームの暗号処理に用いられた鍵（鍵Ｋｕ）から一方向性関数を多段階に用いて生成する鍵（鍵Ｋｈ、鍵Ｋｓ、鍵Ｋｍ）を用いることにより行え  同一コンテンツに対応する解像度の異なる複数のコンテンツのそれぞれに対応する暗号化鍵（鍵Ｋｕ、鍵Ｋｈ、鍵Ｋｓ及び鍵Ｋｍ）は独立ではなく、関連性を有することとなり、ユーザにおける使い勝手が低下することがない。
【００５３】
［３］実施形態の変形例
以上の説明においては、メインストリームＭＳＣと、サブストリームＳＳＣと、を受信するタイミングについては詳細に述べなかったが、メインストリームとサブストリームは受信機であるディジタルテレビ装置１５に同時に到着する場合、メインストリームの受信後にサブストリームを受信する場合、あるいは、その逆のサブストリームを受信してからメインストリームを受信する場合のいずれであっても適用が可能である。
【００５４】
例えば、ＥＰＧ（電子番組表）を用いて視聴したい番組をあらかじめ特定し、メインストリームの放送前に放送局のサーバーに対してサブストリームを送信するよう予約することにより、サブストリームの受信予約および受信ができる。
この場合には、予めサブストリームを受信しているので、例えば、メインストリームの受信と同時にＨＤＴＶ画質のコンテンツを４Ｋ２Ｋ画質コンテンツにアップコンバートすることが可能である。
【００５５】
また、メインストリームが生放送である場合のように事前にサブストリームを取得することができない場合には、メインストリームの放送開始後からサブストリームを受信するように予約することが可能である。
この場合には、例えば、サブストリームの受信に合わせてメインストリームと合成し、４Ｋ２Ｋ画質コンテンツにアップコンバートすることとなり、多少なりともメインストリームを一時的に保存することになる。
さらに、メインストリームＭＳＣとサブストリームＳＳＣをともに記録して、録画後に再生するように構成することも可能である。
【００５６】
ここで、メインストリームＭＳＣとサブストリームＳＳＣをともに記録する場合について説明する。
前述のようにＨＤＴＶメインストリームと４Ｋ差分サブストリームは同時に受信機に到着するわけではなく、別々のタイミングで到着すると考えてよい。
ＨＤＴＶメインストリームと４Ｋ差分サブストリームの双方が受信機であるディジタルテレビ装置１５の内部（記録装置５９）に保持されたとき、ＭＰＥＧ−２  ＴＳ方式にて再多重される。前述のように、２つのストリーム間の同期情報は、サブストリームの先頭画像におけるメインストリームの絶対時間がＰＴＳの解像度で渡されている（図示せず）ので、それに合わせて再多重を行い、必要に応じてＰＴＳの付け替えを行う。
【００５７】
この方式のほうが、４Ｋ―ＵＨＤＴＶ画質のコンテンツを生成（メインストリーム、サブストリームのそれぞれ復号、デコード、合成、再符号化、再暗号）することなく、多重化のみ処理するので処理負荷は非常に軽く済む。また、記録時にメインフレームとサブフレームの再同期処理をあらかじめ行っておくので、再生時の再同期処理が不要になるというメリットがある。そしてその再同期処理が施された再多重されたＨＤＴＶ＋４Ｋ差分ストリームを、例えば、ハードディスクドライブとして構成された記録装置５９に記録保存しておけば、上述した手順に従って再生を行うことが可能である。
【００５８】
また、以上の説明においては、メインストリームＭＳＣとサブストリームＳＳＣの同期については、詳細に述べなかったが、サブストリームの先頭画像もしくは音声フレームのプレゼンテーションタイムスタンプ（ＰＴＳ）が、メインストリームの絶対時間（日付、時刻（ｍｓ単位まで））で相当する時間が指定され（図示なし）、それに合わせて同期をとるようにすることが可能である。この場合には、メインストリームＭＳＣとサブストリームＳＳＣのＰＴＳの時間解像度は一致していることが前提となる。
【００５９】
以上の説明では、暗号処理に用いる鍵の生成については、説明しなかったが、暗号化鍵Ｋｕ、Ｋｈはチャンネル内の同一の暗号化鍵でもよいし、コンテンツ／番組で固定の暗号化鍵でもよいし、時変（たとえば１分毎）の暗号化鍵でもよい。暗号化鍵の配信方法はＣＡＳ方式による配信や、鍵配信サーバーと受信機間の相互認証による鍵配信でもよい。
そして本実施形態においては、例えばディジタルテレビ装置１５のコントローラ５１が、ＣＡＳカードや鍵配信サーバーから暗号化鍵Ｋｕを取得し、取得した暗号化鍵Ｋｕを用いて上述した処理を行う。このためディジタルテレビ装置１５は、暗号化鍵Ｋｈを外部から取得することなく上述の処理を実行できる。
【００６０】
以上の説明においては、サブストリームＳＳＣとしての差分データストリームは、４Ｋ２ＫコンテンツとＨＤＴＶコンテンツ（２Ｋ１Ｋコンテンツ）と、の間で行ったが、他の解像度との組み合わせでもよい。例えば、８Ｋ４ＫコンテンツとＨＤＴＶコンテンツ（２Ｋ１Ｋコンテンツ）との間、８Ｋ４Ｋコンテンツと４Ｋ２Ｋコンテンツとの間、４Ｋ２ＫコンテンツとＳＤＴＶコンテンツとの間等、様々な解像度の異なるコンテンツの間で行うようにすることも可能である。
以上の説明においては、情報処理装置として、ディジタルテレビ装置１５を例として説明したが、情報処理装置としては、セットトップボックスや、ディジタルレコーダについても適用が可能である。
【００６１】
本実施形態の情報処理装置（実施形態では、ディジタルテレビ装置１５）で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
また、本実施形態の情報処理装置で実行される制御プログラムを、インターネット等のネットワークに接続されたコンピュータ上に格納し、ネットワーク経由でダウンロードさせることにより提供するように構成してもよい。また、本実施形態の情報処理装置で実行される制御プログラムをインターネット等のネットワーク経由で提供または配布するように構成してもよい。
また、本実施形態の情報処理装置の制御プログラムを、ＲＯＭ等に予め組み込んで提供するように構成してもよい。
【００６２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６３】
１０    コンテンツ配信システム
１１    放送アンテナ
１２    放送波
１３    通信ネットワーク
１４    コンテンツ配信装置
１５    ディジタルテレビ装置
３６    受光部
４１    アンテナ
４２    チューナ
４３    復調器
４４    復号器
４５    信号処理部
５１    処理部
５４    無線ＬＡＮ通信ユニット
５６    有線ＬＡＮ端子
５９    記録装置（記録手段）
６０    ＯＳＤ信号生成部
６１    ＴＳ再多重化部（多重化手段）
６２    同期部
６３    記録部
６４    読込部
６５    復号部
６６    （第１）鍵変換部（鍵生成手段）
６７    分離部（分離手段）
６８    ＡＡＣ復号化部
６９    ＭＰＥＧ−２復号化部
７０    ２Ｋ−４Ｋ変換部
７１    ＨＥＶＣ復号化部
７２    合成部
８１    ＨＤＴＶ−ＳＤ変換部
８２    第１Ｈ．２６４符号化部
８３    第１ＴＳ多重化部
８４    ＶＧＡ変換部
８５    第２Ｈ．２６４符号化部
８６    第２ＴＳ多重化部
８７    第２鍵変換部（鍵生成手段）
８８    第３鍵変換部（鍵生成手段）
８９    第１暗号化部
９０    第２暗号化部
Ｋｕ、Ｋｈ、Ｋｓ、Ｋｍ    コンテンツ鍵（暗号化鍵）
ＭＳＣ  メインストリーム（メインデータストリーム）
ＳＳＣ  サブストリーム（サブデータストリーム）
【図１】
2014093569.tif 000003
【図２】
2014093569.tif 000004
【図３】
2014093569.tif 000005
【図４】
2014093569.tif 000006
【図５】
2014093569.tif 000007